(57)【要約】【課題】  滅菌器本体の点検時期を的確に報知する事を目的とするものである。【解決手段】  被滅菌物を収納して滅菌を行うチャンバーと、このチャンバーの開口部を密閉する開閉自在な蓋と、チャンバー内に蒸気を供給／又はチャンバー内で蒸気を発生する蒸気発生手段と、この蒸気発生手段等を制御する制御手段とを備えたものおいて、制御手段を、被滅菌物の滅菌回数をカウントし、この滅菌回数が予め設定された所定回数に到達すると点検時期を報知する様に構成して成る。【選択図】        図１
2008237422.tif 000002
【特許請求の範囲】
【請求項１】
被滅菌物を収納して滅菌を行うチャンバーと、このチャンバーの開口部を密閉する開閉自在な蓋と、上記チャンバー内に蒸気を供給／又はチャンバー内で蒸気を発生する蒸気発生手段と、この蒸気発生手段等を制御する制御手段とを備えたものおいて、上記制御手段を、上記被滅菌物の滅菌回数をカウントし、この滅菌回数が予め設定された所定回数に到達すると点検時期を報知する様に構成したことを特徴とする高圧蒸気滅菌器。
【請求項２】
被滅菌物を収納して滅菌を行うチャンバーと、このチャンバーの開口部を密閉する開閉自在な蓋と、上記チャンバー内に蒸気を供給／又はチャンバー内で蒸気を発生する蒸気発生手段と、この蒸気発生手段等を制御する制御手段とを備えたものにおいて、上記制御手段に現在の日時を記憶して計時するリアルタイムクロック機能を設けると共に、上記制御手段に点検日時を予め記憶し、上記リアルタイムクロックの出力が上記点検日時に到達すると点検時期を報知する様に構成したことを特徴とする高圧蒸気滅菌器。
【請求項３】
上記点検時期に到達すると、音声により点検時期の到来を報知する様に構成したことを特徴とする、上記請求項１又は２に記載の高圧蒸気滅菌器。
【発明の詳細な説明】
【技術分野】
【０００１】
本発明は、主として病院等に設置して医療用器具等の被滅菌物を高圧蒸気下で滅菌する高圧蒸気滅菌器に関する。
【背景技術】
【０００２】
チャンバー内に被滅菌物を収納して密封し、チャンバー内に飽和蒸気を供給して被滅菌物を滅菌処理する医療用の滅菌器では、例えば特許文献１に示される様に、滅菌器の運転記録を所定の保存期間保存し、院内感染が発生した場合の品質保証に対応している。
【特許文献１】特開２００２−２９７７６２号公報
【発明の開示】
【発明が解決しようとする課題】
【０００３】
一方、上記医療機関で使用される滅菌器は、比較的長期間使用されるが、日常において定期的に点検を行うことは少なく、故障が発生した都度サービス業者に修理を依頼して対応を行っているが、故障が発生してから修理が完了する迄には時間を要し、その期間は器具を使用できないという問題がある。
【０００４】
そこで本発明は、この点に鑑み、定期的に点検を促すことで、不意な故障を防止する事を目的とするものである。
【課題を解決するための手段】
【０００５】
本発明の請求項１の構成は、被滅菌物を収納して滅菌を行うチャンバーと、このチャンバーの開口部を密閉する開閉自在な蓋と、チャンバー内に蒸気を供給／又はチャンバー内で蒸気を発生する蒸気発生手段と、この蒸気発生手段等を制御する制御手段とを備えたものおいて、制御手段を、被滅菌物の滅菌回数をカウントし、この滅菌回数が予め設定された所定回数に到達すると点検時期を報知する様に構成して成るものである。
【０００６】
本発明の請求項２の構成は、被滅菌物を収納して滅菌を行うチャンバーと、このチャンバーの開口部を密閉する開閉自在な蓋と、チャンバー内に蒸気を供給／又はチャンバー内で蒸気を発生する蒸気発生手段と、この蒸気発生手段等を制御する制御手段とを備えたものにおいて、制御手段に現在の日時を記憶して計時するリアルタイムクロック機能を設けると共に、制御手段に点検日時を予め記憶し、リアルタイムクロックの出力が点検日時に到達すると点検時期を報知する様に構成して成るものである。  本発明の請求項３の構成は、請求項１又は２の構成において、点検時期に到達すると、音声により点検時期の到来を報知する様に構成して成るものである。
【発明の効果】
【０００７】
本発明の請求項１に記載の構成により、滅菌回数が予め設定した所定回数に到達すると点検時期の到来を報知する様に構成したことで、定期的に点検を実施することで、極力不意な故障を防止できると同時に、ユーザーが点検時期を把握する必要がなく、器具の使用状況にマッチした適時に点検を実施する事が出来るものである。
【０００８】
本発明の請求項２に記載の構成により、予め点検時期を設定し、その点検時期が到来すると報知することで、所定期間間隔毎に点検を実施することで、不意な故障を未然に防止出来るものである。
【０００９】
本発明の請求項３に記載の構成により、点検時期の到来を音声により報知することで、器具が例えば数字のみ表示する表示器を備えた場合でも、液晶等の高価な表示器に変更することなく、点検時期を分かり易く報知する事が出来るものである。
【発明を実施するための最良の形態】
【００１０】
本発明による実施例を先ず図１に基づき説明すると、１は医療用の滅菌器本体で、本体ケース２の上部に蓋３を上下方向に開閉自在に枢支していると共に、上記本体ケース２の底には移動用のキャスター４・・を装着し、同じく前面下部には排気タンク５を前面より着脱自在に収納し、同じく前面上部には針式の圧力計６を配置している。尚、上記蓋３はその後端部に装着した図示しないヒンジにて上下方向に開閉自在に枢支している。
【００１１】
更に上記蓋３の上面手前には操作部７を装着し、この操作部には図２にても示すデジタル表示器８と、コース表示部９と、工程表示部１０と、時刻設定ボタン１１と、アップダウンボタン１２，１３と、予約ボタン１４と、コース選択ボタン１５と、ファンボタン１６と、設定・確認選択ボタン１７と、スタートボタン１８と、ストップボタン１９とを主に配置している。
【００１２】
上記蓋３の前端面には、内部に手等を挿入する挿入溝２０を形成した略コ字状の取手２１を装着し、かつこの取手の挿入溝２０内には蓋３の閉蓋時におけるロックを解除する摺動レバー２２を前後方向に摺動自在に収納している。
【００１３】
図３は配管系統図で、上記滅菌器本体１の本体ケース２内に装着されたチャンバー２４の内底部に、蒸気発生手段となるシーズヒータ等のヒータ２５を装着し、チャンバー２４の側面には、圧力安全弁２６と、上記圧力計６に連結した圧力管２７と、途中に排気バルブ２８を接続し、かつ先端を上記排気タンク５内の水中に開放した排気パイプ２９と、真空破壊弁３０やデジタル式の圧力センサ３１を接続した導出パイプ３２とを各々接続し、上記排気パイプ２９と導出パイプ３２の出口付近とチャンバー２５の中間高さ位置には各々温度センサ３３，３４，３５を接続している。
【００１４】
４０はマイクロコンピュータ等にて構成した制御手段で、上記蓋３の天面に配置した操作部７や圧力センサ３１、温度センサ３３，３４，３５等からの入力や出力に基づいて、上記操作部７の表示器８や表示部９，１０、ヒータ２５、排気バルブ２８等への通電を予め設定した所定のシーケンスに従って制御するものである。
【００１５】
而して、滅菌処理を行う場合には、図示しない給水手段によりチャンバー２４の底に所定量の水を給水した後、チャンバー２４内に被滅菌物を収納して蓋３を閉じた後、操作部７の各ボタン１１〜１９より滅菌コースや滅菌温度、滅菌時間等を入力して滅菌を開始することで、ヒータ２５に通電して水を蒸発し、チャンバー２４内に飽和蒸気を発生し、チャンバー内に収納した被滅菌物を滅菌処理する様に構成している。
【００１６】
一方、上記制御手段４０は、上記滅菌運転を行う毎に運転回数をカウントしてメモリー等に記憶し、この運転回数が予め設定した所定回数に到達すると、音声にて点検時期の到来を報知する様に構成している。
【００１７】
又、上記制御手段４０は、上記点検時期が到来すると音声により報知し、例えばストップボタン１９をオン操作することで音声による報知を中止し、その後サービスマンによる点検後、例えば上記操作部７より上記の操作ボタン１１〜１９を操作することで、報知を停止し、点検を受けなければ例えば運転終了時毎に上記点検時期の到来を報知する様に構成することで、使用者に確実に点検時期の到来を知らせる事が出来ると共に、点検忘れによる故障の発生を確実に防止する事が出来るものである。
【００１８】
これらの構成により、滅菌運転を予め設定した所定回数行うと自動的に点検時期の到来を音声により報知することで、点検忘れによる不意な故障の発生を防止し、故障や修理の発生による滅菌処理の中断等を防止する事が出来るものである。
【００１９】
尚、上記所定回数は、例えば上記操作ボタン１１〜１９を通常では行わない複数のボタンの同時オン操作等により設定モードに設定し、この設定モードより、例えば１，０００回、２，０００回、３，０００回の中から選択して設定したり、設置環境に応じて任意に設定しても良く、上記操作ボタン以外に本体ケース２内に専用のボタンを設け、このボタンにより設定する様に構成しても良い。
【００２０】
又、本発明の他の実施例として、上記制御手段４０は、現在の日時を記憶して計時する所謂カレンダー機能と時計機能とを備えたリアルタイムクロック４１を内蔵していると共に、設置されてから予め設定した所定の期間（例えば２年）経過すると点検時期の到来を報知する様に構成している。
【００２１】
これにより、使用を開始してから所定の年月経過後に点検を受け、磨耗の激しい部品を交換したり、必要部分に注油することで、不意な故障の発生を防止する事が出来るものである。
【００２２】
尚、上記実施例では滅菌器本体１の設置後から所定の年月日をカウントする様に構成しているが、この場合、設置業者による入力操作が必要であり、例えば出荷時からカウントを開始することで、入力忘れを防止出来る。そして上記実施例では、設置後、例えば２年経過すると報知する様に構成しているが、これに限定されることなく、１年や３年に設定しても良く、滅菌器本体１の仕様に応じて設定を変更しても良く、最初は例えば２年後に報知し、２回目は１年後に報知する様に構成しても良い。
【００２３】
又、上記の各実施例では点検時期が到来すると音声により報知する様に構成しているが、これに限定されることなく、ブザーや表示器により報知しても良いが、音声により報知することで、液晶表示器等の高価な表示器を用いる必要がなく、かつ音声により報知内容を容易に理解する事が出来るものである。
【図面の簡単な説明】
【００２４】
【図１】本発明の実施例を示す斜視図である。
【図２】同じく操作部の斜視図である。
【図３】同じく配管系統図である。
【符号の説明】
【００２５】
３    蓋
２４  チャンバー
２５  ヒータ（蒸気発生手段）
４０  制御手段
４１  リアルタイムクロック
【図１】
2008237422.tif 000003
【図２】
2008237422.tif 000004
【図３】
2008237422.tif 000005